(57)【要約】【課題】パチンコ機を島に設置する際の作業効率を向上させることができるパチンコ機を提供する。【解決手段】分離型外枠位置決め機構１０'の取り付けられた外枠（下板５）を島の所定の位置に設置し、従来通り遊技者によるパチンコ遊技を行なう。パチンコ機の入れ替え時、分離型外枠位置決め機構１０'を固定部材２１によってさらに島に固定する。これにより分離型外枠位置決め機構１０'は、下板５と島との２ヶ所に固定された状態となる。この状態で外枠を取り外す。このとき分離型外枠位置決め機構１０'は外枠に取り付いている部分と島に取り付いている部分とに切り離される。島に取り付いている部分は、そのまま島に残る。そして新たに島に設置されるパチンコ機の外枠を、その島に残っている分離型外枠位置決め機構１０'の位置を基準として載置する。【選択図】    図６
2004208827.tif 000002
【特許請求の範囲】
【請求項１】
外枠を構成する上板と下板とが、固定部材を用いていわゆる島に取り付け固定されるパチンコ機において、
前記外枠の上板および下板に固定された複数個の分離型外枠位置決め機構を有し、
前記分離型外枠位置決め機構は、前記外枠の島への取り付け固定終了後に、さらに前記島にも固定され、パチンコ機の入れ替え時に、前記外枠の取り外しに伴なって前記外枠の上板および下板に固定された第一分離型外枠位置決め部分と前記島に固定された第二分離型外枠位置決め部分とに分離され、
前記島に固定された第二分離型外枠位置決め部分は、入れ替えされた新たなパチンコ機の外枠の位置決め部材として機能することを特徴とするパチンコ機。
【請求項２】
前記島に固定された第二分離型外枠位置決め部分には、入れ替えされた新たなパチンコ機の外枠の位置を調整するための外枠調整用ネジが設けられていることを特徴とする請求項１に記載のパチンコ機。
【発明の詳細な説明】
【０００１】
【発明の属する技術分野】
本発明は、パチンコ機の外枠を、いわゆる島に取り付け固定する際の、位置決め部材を有したパチンコ機に関するものである。
【０００２】
【従来の技術】
パチンコ機島にパチンコ機を設置する場合には、各パチンコ機ごとに釘あるいはネジ等によって固定する方法が一般的である。具体的には、例えば、パチンコ機を新しい機種に入れ替える場合、それまで使用していた古い機種を島から取り外し、新しい機種の外枠の下側前縁を所定の位置に揃えて載置し、外枠下板の２ヶ所で釘打ち固定してから、次に島の固定部の上部前縁と外枠上板の前縁とに渡ってゲージを当てて、島に対して所定のねかせ角度に外枠を保持し、外枠上板の２ヶ所を上向きに釘打ち固定してから前枠を固定した外枠に装着するという手順を踏む。
【０００３】
しかしながら、このように一台ごとに島に対する外枠のねかせ角度を調整し釘あるいはネジ等を使用して設置する方法では、作業効率が悪く、また熟練した技能も必要となることから設置作業に多くの時間を要するという欠点があった。
そこで、この欠点を解決するために、島側にクランプ機構を利用した外枠固定装置を設け、さらに上側に設けたクランプ装置には、ねかせ調整機構を設けた遊技機止着具に関する発明が開示されている（例えば、特許文献１参照。）。
【０００４】
【特許文献１】
特許第２５２８０４６号公報（第３−４頁）
【０００５】
【発明が解決しようとする課題】
ところで、上述した従来の遊技機止着具に関する発明は、外枠を島から外す場合には、固定手段として釘を使用していないため釘抜き作業を必要としないという利点がある。また、外枠を島に装着する場合には、同様に釘を使用しないため釘打ち作業を必要としないという利点がある他、ねかせ調整機構によって最終的な調整精度を高くできるという利点もある。また、いずれの場合にも熟練した技能を必要とせず、釘打ち用のエアーコンプレッサー等の設備も必要としないという利点もある。
【０００６】
しかしながら、上述した従来の遊技機止着具では、クランプ装置に設けたねかせ調整機構によって島に対する外枠のねかせ角度を調整する場合、操作ハンドルを回動することによりスライド部を前後方向へ移動させて各遊技機ごとに調整をすることが必要なため、調整作業に多くの時間を要し、作業効率を向上させるという面では十分に改善されていなかった。
【０００７】
また、近年は、いわゆる第一種のパチンコ機が主流であり、パチンコホールに設置される機種も第一種のパチンコ機の台数が多いのが現状である。そして、第一種のパチンコ機の場合には、図柄始動入賞口の左側の遊技盤面から直接遊技球が図柄始動入賞口に入賞し、その入賞ごとに当たり／外れの抽選が行なわれるため、遊技球の図柄始動入賞口への入賞は直接的には大当りに結びつかず、役物内の傾斜面の角度に大きな影響を受け、役物内の遊技球の動きが直接大当りに結びつく、いわゆる二種、三種のパチンコ機と比べて、パチンコ機全体のねかせ角度を精密に調整しなくても遊技者の獲得遊技球数に大きな差を生じることがない。従って、パチンコ機の設置作業においては、より効率的な設置手段が求められている。
【０００８】
そこで、本発明は、上記課題に鑑みてなされたものであり、パチンコ機（パチンコ機の外枠）を島に設置する場合の作業効率を、大幅に向上させることができるパチンコ機の提供を目的とするものである。
【０００９】
【課題を解決するための手段】
上記課題を解決するために、請求項１に係るパチンコ機の発明は、外枠を構成する上板と下板とが、固定部材を用いていわゆる島に取り付け固定されるパチンコ機において、前記外枠の上板および下板に固定された複数個の分離型外枠位置決め機構を有し、前記分離型外枠位置決め機構は、前記外枠の島への取り付け固定終了後に、さらに前記島にも固定され、パチンコ機の入れ替え時に、前記外枠の取り外しに伴なって前記外枠の上板および下板に固定された第一分離型外枠位置決め部分と前記島に固定された第二分離型外枠位置決め部分とに分離され、前記島に固定された第二分離型外枠位置決め部分は、入れ替えされた新たなパチンコ機の外枠の位置決め部材として機能することを特徴とするものである。
【００１０】
分離型外枠位置決め機構の取り付けられた外枠を島の所定の位置に取り付け固定する。外枠を島に固定した後に、分離型外枠位置決め機構をさらに島に固定する。これにより分離型外枠位置決め機構は、外枠の上板または下板と島との２ヶ所に固定された状態となる。パチンコ機台の入れ替え時、それまで使用していた各パチンコ機を外枠から取り外す。このとき分離型外枠位置決め機構は外枠に取り付いている部分と島に取り付いている部分とに切り離される。分離型外枠位置決め機構の島に取り付いている部分は、島に固定されたまま残る。そして新たに島に設置されるパチンコ機の外枠を、島に固定されて残っている分離型外枠位置決め機構の位置を基準として載置することによって、外枠を島の所定の位置に取り付け固定することができる。
【００１１】
また、請求項２に係るパチンコ機の発明は、請求項１に記載の発明において、前記島に固定された第二分離型外枠位置決め部分には、入れ替えされた新たなパチンコ機の外枠の位置を調整するための外枠調整用ネジが設けられていることを特徴とするものである。外枠調整用ネジを操作することにより外枠が前後方向にスライドし、外枠の島に対するねかせ傾斜が変化して、外枠を所定のねかせ傾斜角度に調整することができる。
【００１２】
【発明の実施の形態】
以下、本発明に係るパチンコ機の実施の形態を添付図面に基づいて説明する。図１に示されるように、パチンコ機の外枠１は、左右の側板２、３と上板４と下板５とから構成された、例えば、パラゴム材からなる木枠であり、側板２、３と上板４あるいは下板５間はＬ字金具（Ｌ字補強金具ともいう）６によって連結補強されている。
【００１３】
外枠１の上板４および下板５には、分離型外枠位置決め機構１０ａ〜１０ｄ（以下、分離型外枠位置決め機構１０ａ〜１０ｄ全体を指すときは分離型外枠位置決め機構１０ともいう）が取り付けられている。分離型外枠位置決め機構１０は、新しい島（パチンコ機が初めて設置される島）に設置されるパチンコ機の外枠１、あるいはそれまで島に設置されていた機種とは異なる機種のパチンコ機に入れ替えするときの入れ替えパチンコ機の外枠１に予め取り付けられ、分離型外枠位置決め機構１０が外枠１に取り付けられた状態で外枠１が島に設置される。そして分離型外枠位置決め機構１０は、外枠１が島から取り外される際に島に固定され、二つに切り離された分離型外枠位置決め機構１０の一部分が島に残る（詳しくは後述する）。
【００１４】
ここで外枠が取り付けられる島の構造を図２に基づいて説明する。図に示す島は、従来の一般的な島と同様の構造を有するものである。島本体３０はパチンコホールの床面に固定される複数の支持枠３１と、支持枠３１の下部に取り付けられる基台３２と、支持枠３１の上部から他の支持枠３１の上部に掛けて設けられた上部取付部３３とを備えている。基台３２の上側には外枠３４（パチンコ機３５）を下方から支持するための下方支持板３６が固定され、上部取付部３３の下側には外枠３４（パチンコ機３５）を上方から支持するための上方支持板３７が固定されている。各外枠３４は島本体３０に形成された開口部３８の所定の位置に載置され、下方支持板３６および上方支持板３７へ釘等の固定手段によって固定される（設置されるともいう）。
【００１５】
図３に示す形態の分離型外枠位置決め機構１０は、外枠側取付基部１１と、島側取付基部１２と、外枠側取付基部１１と島側取付基部１２との間に設けられた連結部１３とから概略構成されている。分離型外枠位置決め機構１０は、例えば、ＡＢＳ樹脂、ポリプロピレン等で形成されている。外枠側取付基部１１には、分離型外枠位置決め機構１０を外枠１の上板４または下板５に取り付ける際の固定部材挿入穴１４が形成されている。この固定部材としては、例えば、Ｕ字釘、ステイプル等が使用され、釘打ち、タッカー止め等によって固定される。
【００１６】
島側取付基部１２には、分離型外枠位置決め機構１０を島に取り付ける際の固定部材挿入穴１５が形成されている。この固定部材としては、例えば、Ｕ字釘、木ネジ等が使用される。また、島側取付基部１２には、固定部材保持部１６が形成されており、予め固定部材（例えば、Ｕ字釘、木ネジ）を圧入させておく。尚、予め固定部材（例えば、Ｕ字釘）を固定部材保持部１６と一体成形した状態にしておいてもよい。但し、いずれの場合にも固定部材挿入穴１５に差し込まれている固定部材はその先端部が島側取付基部１２の裏面まで達していない状態で配置させておく。また、固定部材保持部１６を形成しないで、ステイプルを用いたタッカー止めによって固定してもよい。
【００１７】
連結部１３には、略真中の位置の幅方向（図３において矢印Ｈ方向）に長穴状の切り欠き１７が形成されており、切り欠き１７の両端部はＶ字型に形成されている。この切り欠き１７は、分離型外枠位置決め機構１０が二つの部分に分離する際の境界となる部分であると共に、分離型外枠位置決め機構１０を容易に分離させるために形成されたものである。即ち、分離型外枠位置決め機構１０は、外枠１の上板４または下板５に取り付けられる外枠側取付基部１１側の部分（第一分離型外枠位置決め部分ともいう）と、島に取り付けられる島側取付基部１２側の部分（第二分離型外枠位置決め部分ともいう）との二つの部分に分離され、分離する際にはこの切り欠き１７に沿って連結部１３が切り裂かれるように分離する。
【００１８】
尚、切り欠き１７の形状は図３に示した長穴状のものに限定されず、一方向の力（外枠を島から取り外す方向の力。詳しくは後述する。）によって容易に分離する形状のものであればよく、例えば、連結部１３の幅方向（図３において矢印Ｈ方向）に一文字状に形成された切り込みであってもよい。即ち、両端部がＶ字型に形成された長穴状の切り欠き、あるいは一文字状の切り込み等のように外枠を島から取り外すために加わる力（上記一方向の力）が切り欠きあるいは切り込みに集中して発生する形状であればよい。
【００１９】
また、分離型外枠位置決め機構は図４に示すような形態のものであってもよい。即ち、分離型外枠位置決め機構１０'の連結部１３の両端部分１３ａ、１３ｂの厚さを中央部分１３ｃの厚さよりも薄く形成する。外枠側取付基部１１と島側取付基部１２の幅に沿って配置されている連結部１３の中央部分１３ｃの厚さを厚く形成し、外枠側取付基部１１と島側取付基部１２の幅から両側に、はみ出している連結部１３の両端部分１３ａ、１３ｂの厚さを薄く形成する。この構成により外枠を島から取り外す方向の力によって、連結部１３に形成した切り欠き１７に沿い、連結部１３をさらに容易に切り裂くことができる。尚、その他の部分に関しては上述した図３に示す形態の分離型外枠位置決め機構１０と同じ部材であり、同様の作用効果を得ることができる。
【００２０】
また、図５（ａ）から（ｃ）にも示されるように、切り欠き１７は、外枠側取付基部１１あるいは島側取付基部１２の幅よりも大きく形成され、その先端部はＶ字型に形成されている。そして、連結部１３の両端部分１３ａ、１３ｂの厚さは、連結部１３の中央部分１３ｃの厚さよりも薄く形成されている。更に、固定部材挿入穴１５は固定部材保持部１６から島側取付基部１２に掛けて形成されているが、その先端部は島側取付基部１２の途中で、即ち、島側取付基部１２の下面まで達しない位置で止まっている。
【００２１】
例えば、図６に示されるように、分離型外枠位置決め機構１０'は、外枠１の下板５の背面側に取り付けられている。そして、外枠１は、分離型外枠位置決め機構１０'が取り付けられた状態で島に取り付けられる。分離型外枠位置決め機構１０'の外枠側取付基部１１に形成された固定部材挿入穴１４を介して固定部材２０（ここではＵ字釘を使用）が下板５に打ち込まれ、外枠側取付基部１１は下板５の上面５ａに当接した状態で固定されている。外枠側取付基部１１から略垂直方向に延びた連結部１３が、下板５の背面５ｂに接して配設され、連結部１３から略垂直方向に延びた（外枠側取付基部１１と略平行に延びた）島側取付基部１２が、連結部１３に対して外枠側取付基部１１と反対方向に配設されている。
【００２２】
島側取付基部１２の下面は下板５の下面の位置と同じ位置に配設されている。即ち、島側取付基部１２の下面は外枠１の下板５が取り付けられる島の固定部に接した状態で配設される。島側取付基部１２の固定部材保持部１６には、固定部材が取り付けられている（ここではＵ字釘を圧入している）。また、下板５には島に固定する釘を打ち込むための釘穴２２が設けられている。
尚、この形態では分離型外枠位置決め機構１０'を木材からなる外枠１の上板４または下板５に取り付ける場合について説明したが、この形態に限定されるものではなく、例えば、外枠を樹脂で形成して分離型外枠位置決め機構を外枠と一体成形したものであってもよい。
【００２３】
図７から図１０に従って分離型外枠位置決め機構１０'の使用手順について説明する。
外枠１の上板４と下板５に合わせて４個の分離型外枠位置決め機構１０'が取り付けられた状態（図１に示す状態）で、外枠１（外枠に取り付けられる前枠も含む）を島の所定の位置（図３において開口部３８）に設置する。設置の方法は従来と同様であり、先ず、図１に示す状態の外枠１を島の開口部３８に載置し、下板５を固定部材（例えば、釘等）によって２ヶ所、島に固定する。外枠１のねかせ傾斜を水準器等を使用して調整した後に、外枠１の上板４を固定部材によって島に固定する。次に、前枠（パチンコ機本体）を外枠１に装着しパチンコ機の島への設置は完了する。そして、遊技者による遊技が行なわれる。尚、この段階において分離型外枠位置決め機構１０'は外枠１にのみ固定されているだけ（図６に示す状態）で、未だ島には固定されていない。
【００２４】
パチンコ機の入れ替え時（例えば、パチンコホールのいわゆる新装開店のための台の入替え時）において、それまでに設置されていたパチンコ機（上記分離型外枠位置決め機構１０'が取り付けられた外枠１を有するパチンコ機）と同じ機種のパチンコ機（サイズの同じ外枠を使用する機種）に入れ替える場合、それまで設置されていた（入れ替えられる）パチンコ機の外枠１の分離型外枠位置決め機構１０'を、外枠１が未だ島に設置されている状態で島に固定する。尚、上記設置したパチンコ機とは異なる遊技機（例えば、スロットルマシン等）に入れ替える場合には、分離型外枠位置決め機構１０'は島に固定せずに、従来通り外枠１（パチンコ機）を島から外してスロットルマシンを島に設置する。
【００２５】
図７は、分離型外枠位置決め機構１０'を図６における矢印Ｔ方向から見た図（正面図）であり、外枠１の下板５に取り付けられた分離型外枠位置決め機構１０'が、パチンコ機の入れ替え時において、島の固定部２５に固定された状態を示している。分離型外枠位置決め機構１０'は、島側取付基部１２の固定部材保持部１６に圧入された固定部材（ここではＵ字釘）２１が、島の固定部２５に打ち込まれることによって島の固定部２５に固定される。即ち、分離型外枠位置決め機構１０'の島側取付基部１２が島の固定部２５に固定されている。従って、図７の状態では、分離型外枠位置決め機構１０'は、外枠側取付基部１１が下板５に固定され、さらに島側取付基部１２が島の固定部２５に固定されている。
【００２６】
この島側取付基部１２が島の固定部２５に固定された状態において、下板５を島の固定部２５に固定している固定部材を取り外し、外枠１（下板５）を図８に示す矢印Ｐ方向（パチンコ機の前面方向）に引いて島（図２に示す開口部３８）から外枠１を取り外す。図８は、分離型外枠位置決め機構１０'の上面図である。下板５が矢印Ｐ方向に引かれることにより、分離型外枠位置決め機構１０'は連結部１３の切り欠き１７を境に、下板５に取り付けられた外枠側取付基部１１側の部分と島の固定部２５に取り付けられた島側取付基部１２側の部分とに分かれる。切り欠き１７の先端部が形成されている連結部１３の両端部分１３ａ、１３ｂは、Ｙ型状に分かれ、切り欠き１７の先端部から切り欠き１７の方向に沿って切り裂かれ、二つの部分に分離する。切り欠き１７の先端部に応力が集中するため、連結部１３は紙を切り裂くように切れていく。
【００２７】
図９は、分離型外枠位置決め機構１０'が、下板５に取り付けられた外枠側取付基部１１側の部分（第一分離型外枠位置決め部分）と、島の固定部２５に取り付けられた島側取付基部１２側の部分（第二分離型外枠位置決め部分）とに分離した状態を示している（分離型外枠位置決め機構１０'の正面図である）。外枠側取付基部１１側の部分には、外枠側取付基部１１につながって、二つの部分に分離した連結部１３の両端部分１３ａ'、１３ｂ'と中央部分１３ｃ'が、下板５の背面５ｂに接した状態で配設されている。そして、島側取付基部１２側の部分には、島側取付基部１２につながって、二つの部分に分離した連結部１３の両端部分１３ａ"、１３ｂ"と中央部分１３ｃ"が、島の固定部２５に対して略垂直方向に配設されている。
【００２８】
図１０は、図９の上面図である。外枠１（外枠側取付基部１１側の部分）は島から取り外され、島の固定部２５上には島側取付基部１２側の部分（第二分離型外枠位置決め部分）のみが固定された状態で配設されている。そして、この状態において新たに設置する（入替える）パチンコ機の外枠１を、取り外した外枠１と同じ位置に載置する。このとき島の固定部２５に固定されている島側取付基部１２側の部分が、新たに設置するパチンコ機の外枠１を取り外した外枠１と同じ位置に載置するための基準部材となる。
【００２９】
島側取付基部１２側の部分が使用されるのは、上述したように新たに設置されるパチンコ機の外枠１が、それまで設置されていたパチンコ機の外枠１と同じサイズの場合であるため、島の固定部２５に固定されている島側取付基部１２側の部分を基準にすることにより外枠１を所定の位置に載置させることができる。新たに設置するパチンコ機の外枠１には分離型外枠位置決め機構１０'を取り付ける必要はなく、外枠１の上板４と下板５の背面を、島側取付基部１２側の部分を構成する連結部の中央部分１３ｃ"の面Ｑに押し当てて載置し、下板５と上板４を固定部材によって島の固定部２５に固定する。これにより新たに設置したパチンコ機の外枠１を、所定の位置に固定させることができ、島に対するねかせ傾斜は正確に調整される。
【００３０】
図１１に示す分離型外枠位置決め機構の形態は、図３または図４に示す分離型外枠位置決め機構１０または１０'の外枠側取付基部１１の形状と、連結部１３の形状および連結部に形成される切り欠き１７の形状を変えたものである。従って、図３または図４と共通する部材については同一の部番を付し、その作用効果は同様であるので詳しい説明は省略する。
【００３１】
図１１に示すように、外枠側取付基部４１は略Ｔ型形状を有し、同様にＴ型形状を有する連結部４３とつながっている。連結部４３は外枠側取付基部４１から略垂直方向（図１１において下方向）に延びている。連結部４３には、切り欠き４７が形成されており、この切り欠き４７は、図３、図４に示す切欠き１７を連結部１３の幅方向（矢印Ｈ方向）に二等分した形状を有している。また、切り欠き４７はＴ型を有した連結部４３の上部（幅の広い部分）に、島側取付基部１２の幅よりも長く（島側取付基部１２の両側方向にはみ出して）形成されている。さらに、切り欠き４７の両端部はＶ字型に形成されている。
【００３２】
分離型外枠位置決め機構４０は、この切り欠き４７を境に、外枠１の上板４または下板５に取り付けられる外枠側取付基部４１側の部分（第一分離型外枠位置決め部分ともいう）と、島に取り付けられる島側取付基部１２側の部分（第二分離型外枠位置決め部分ともいう）との二つの部分に、この切り欠き１７に沿って連結部４３が切り裂かれるように分離する。尚、この形態の場合にも、切り欠き４７の形状は図１１に示した形状のものに限定されず、島から外枠１を取り外すために加わる力が切り欠きの端部に集中して発生し、連結部４３を容易に分離することができる形状のものであればよい。例えば、連結部４３の幅方向に一文字状に形成された切り込みであってもよい。
【００３３】
分離型外枠位置決め機構は図１２に示すような形態のものであってもよい。この形態は、図１１に示す分離型外枠位置決め機構４０の連結部４３に外枠１の位置を調整するための外枠調整用ネジ５３を取り付けたものである。連結部４３に形成されている切り欠き４７の下方には、外枠調整用ネジ５３を保持する固定部材保持部５１が形成され、その固定部材挿入穴５２へ外枠調整用ネジ５３が差し込まれる。外枠調整用ネジ５３は、二つの部分に分離する連結部４３（分離型外枠位置決め機構４０'）の、島側取付基部１２側の部分（第二分離型外枠位置決め部分）に設けられることになる。
【００３４】
外枠調整用ネジ５３は回動させ差し込んでいくと連結部４３を貫通して裏面側まで達し、連結部４３の裏面に合わせて載置される入れ替えパチンコ機の外枠を後方向に押して移動させる。これにより、外枠１の前後方向の位置の調整を行うことが可能となり、外枠１の島に対するねかせ傾斜の微調整を容易に行うことができる。尚、図１１に示す形態と同じ部材については同一の部番が付されており、同様の作用効果を得ることができる。
【００３５】
図１３は、分離型外枠位置決め機構４０を、外枠１の下板５の背面側に取り付けた状態を示すものである。外枠１は、分離型外枠位置決め機構４０が取り付けられた状態で島に取り付けられる。分離型外枠位置決め機構４０の外枠側取付基部４１は、固定部材２０（ここではＵ字釘）によって、下板５の上面５ａに当接した状態で固定されている。外枠側取付基部４１から略垂直方向に延びた連結部４３が、下板５の背面５ｂに接して配設され、連結部４３から略垂直方向に延びた（外枠側取付基部４１と略平行に延びた）島側取付基部１２が、連結部４３に対して外枠側取付基部４１と反対方向に配設されている。
【００３６】
島側取付基部１２の下面は下板５の下面の位置と同じ位置に配設されている。即ち、島側取付基部１２の下面は外枠１の下板５が取り付けられる島の固定部に接した状態で配設される。島側取付基部１２の固定部材保持部１６には、固定部材が取り付けられている。ここではＵ字釘を島側取付基部１２の下面に達しない位置まで圧入させている。
尚、この形態では分離型外枠位置決め機構１０'を木材からなる外枠１の上板４または下板５に取り付ける場合について説明したが、この形態に限定されるものではなく、例えば、外枠を樹脂で形成して分離型外枠位置決め機構を外枠と一体成形したものであってもよい。
【００３７】
以下、分離型外枠位置決め機構４０の使用手順の特徴的態様について説明する。使用手順については図７から図１０に示す分離型外枠位置決め機構１０'と同様であるので、特徴的態様のみを説明し共通する態様についての詳しい説明は省略する
外枠１の上板４と下板５に合わせて４個の分離型外枠位置決め機構１０'が取り付けられた状態（図１に示す状態）で、外枠１（外枠に取り付けられる前枠も含む）を島の所定の位置（図３において開口部３８）に設置する。
パチンコ機の入れ替え時に、それまで設置されていたパチンコ機の外枠１の分離型外枠位置決め機構４０を、外枠１が未だ島に設置されている状態で島に固定する。従って、分離型外枠位置決め機構４０は、外枠側取付基部４１が下板５に固定され、さらに島側取付基部１２が島の固定部２５に固定されている状態となる。
【００３８】
この島側取付基部１２が島の固定部２５に固定された状態において、下板５を島の固定部２５に固定している固定部材を取り外し、外枠１（下板５）を図１４に示す矢印Ｐ'方向（パチンコ機の前面方向）に引いて島（図２に示す開口部３８）から外枠１を取り外す。図１４は、分離型外枠位置決め機構４０の上面図であるが、下板５が矢印Ｐ'方向に引かれることにより、分離型外枠位置決め機構４０は連結部４３の切り欠き４７を境に、下板５に取り付けられた外枠側取付基部４１側の部分と島の固定部２５に取り付けられた島側取付基部１２側の部分とに分かれる。切り欠き４７が連結部４３の上部に（例えば、切り欠き４７の上側が下板５の上面５ａの位置と同じ位置に）形成されているため、外枠側取付基部４１側の部分はその形状をそのままに保ち（連結部４３ａ部分も略そのままの形状を保ち）、島側取付基部１２側の部分の連結部４３ｂが変形して、切り欠き４７の先端部から切り欠き４７の方向に沿って切り裂かれ、二つの部分に分離する。切り欠き４７の先端部に応力が集中するため、連結部４３は紙を切り裂くように切れていく。
【００３９】
図１５は、分離型外枠位置決め機構４０が、下板５に取り付けられた外枠側取付基部４１側の部分（第一分離型外枠位置決め部分）と、島の固定部２５に取り付けられた島側取付基部１２側の部分（第二分離型外枠位置決め部分）とに分離した状態を示している（分離型外枠位置決め機構４０の正面図である）。外枠側取付基部４１側の部分には、二つの部分に分離した連結部４３のうち連結部４３ａ部分（外枠側取付基部４１と同じ厚さの連結部部分）がつながっている。そして、島側取付基部１２側の部分には、島側取付基部１２につながって、二つの部分に分離した連結部４３のうち連結部４３ｂ部分が、島の固定部２５に対して略垂直方向に配設されている。外枠１（外枠側取付基部４１側の部分）は島から取り外され、島の固定部２５上には島側取付基部１２側の部分（第二分離型外枠位置決め部分）のみが固定された状態で配設されている。
【００４０】
そして、この状態において新たに設置する（入替える）パチンコ機の外枠１の下板５の背面を、連結部４３ｂの面に押し当てて載置し、下板５を島の固定部２５に固定する。図１６は、分離型外枠位置決め機構４０を使用したときの様子を、図１７は分離型外枠位置決め機構４０'を使用したときの様子を示している。パチンコ機の外枠１は、背面（ここでは下板５の背面）を連結部４３ｂの面に押し当てて載置するだけで、それまで使用されていた（入替えられた）外枠と同じ位置に配設され、島に対するねかせ傾斜も正確に調整される。
【００４１】
また、この形態では連結部４３の切り欠き４７を上部に形成するため、分離して島側取付基部１２側につながる連結部４３ｂ部分を大きく（高く）配設させることができ、新たに設置する外枠１の位置決め作業が容易となり作業効率をより向上させることができる。更に、連結部４３ｂ部分が大きいため、連結部４３ｂに外枠調整用ネジ５３を設けることが可能となり、外枠調整用ネジ５３の調整によって外枠１の位置を前後方向に移動させることができ、外枠１の大きさのバラツキ等によるねかせ傾斜のズレを容易に微調整することができる。
【００４２】
尚、上述した分離型外枠位置決め機構１０、１０'、４０、４０'では、外枠１を島から取り外す方向の力により容易に二つの部分に分離するように連結部１３、４３に切り欠き１７、４７を設けたが、外枠側取付基部１１、４１と島側取付基部１２とを橋梁状の連結部で連結し、ニッパ等の工具で切断、分離するものでもよいし、連結部を分離する際の境界となる部分にＶ溝やミシン目を設けて、折り曲げ、分離するものでもよい。
【００４３】
また、分離型外枠位置決め機構を取り付ける外枠１の上板４あるいは下板５の背面に凹部を形成しておく等により、分離型外枠位置決め機構を取り付けた状態で連結部が背面より前側に位置するように設ければ、外枠を移動させる際の（例えば、運搬中の）接触、衝突等による連結部の損傷、破損等を防止することができる。更に、分離型外枠位置決め機構を取り付けた状態で、分離型外枠位置決め機構全体を外枠１の上板４あるいは下板５の背面よりも前側に位置するように設ければ、外枠を移動させる際の（例えば、運搬中の）接触、衝突等による連結部の損傷、破損等をより効果的に防止することができる。あるいは、背面に凹部を形成する替わりに、分離型外枠位置決め機構を囲うように（例えば、分離型外枠位置決め機構の両側に）ガード部材を設けてもよい。
【００４４】
【発明の効果】
本発明に係る請求項１のパチンコ機によれば、外枠に取り付けられていた分離型外枠位置決め機構を、パチンコ機を取り外す際にさらに島にも取り付け固定し外枠側と島側に分離して、分離型外枠位置決め機構の一部分を島に残すことにより、その島に残った分離型外枠位置決め機構の部分を次に設置するパチンコ機の基準位置とすることができ、外枠をその基準位置に合わせて載置するだけで所定の位置および正確なねかせ傾斜に設定することができ、大幅に作業効率を向上させることができる。
【００４５】
本発明に係る請求項２のパチンコ機によれば、外枠調整用ネジを操作することにより外枠を前後方向にスライドさせることができ、島に対する外枠のねかせ傾斜の調整を正確かつ容易に行うことができる。
【図面の簡単な説明】
【図１】分離型外枠位置決め機構を備えたパチンコ機の外枠の一形態を示す背面図である。
【図２】外枠が取り付けられる島の構造を示す図である。
【図３】分離型外枠位置決め機構の一形態を示す斜視図である。
【図４】分離型外枠位置決め機構の別の一形態を示す斜視図である。
【図５】（ａ）は、図４に示す分離型外枠位置決め機構を矢印Ｓ方向からみた正面図である。
（ｂ）は、図４の上面図である。
（ｃ）は、図４の側面図である。
【図６】分離型外枠位置決め機構を外枠の下板または上板に取り付けた状態を示す斜視図である。
【図７】分離型外枠位置決め機構の使用手順の一形態を示す図である
【図８】分離型外枠位置決め機構の使用手順の一形態を示す図である
【図９】分離型外枠位置決め機構の使用手順の一形態を示す図である
【図１０】分離型外枠位置決め機構の使用手順の一形態を示す図である
【図１１】分離型外枠位置決め機構の別の一形態を示す斜視図である。
【図１２】分離型外枠位置決め機構の別の一形態を示す斜視図である。
【図１３】分離型外枠位置決め機構を外枠の下板または上板に取り付けた状態を示す斜視図である。
【図１４】分離型外枠位置決め機構の使用手順の一形態を示す図である
【図１５】分離型外枠位置決め機構の使用手順の一形態を示す図である
【図１６】分離型外枠位置決め機構を使用して外枠を載置した様子を示す図である。
【図１７】分離型外枠位置決め機構を使用して外枠を載置した様子を示す図である。
【符号の説明】
１    外枠
２、３  側板
４    上板
５    下板
１０、４０  分離型外枠位置決め機構
１１、４１  外枠側取付基部
１２  島側取付基部
１３、４３  連結部
１７、４７  切り欠き
５２  固定部材挿入穴
５３  外枠調整用ネジ
【図１】
2004208827.tif 000003
【図２】
2004208827.tif 000004
【図３】
2004208827.tif 000005
【図４】
2004208827.tif 000006
【図５】
2004208827.tif 000007
【図６】
2004208827.tif 000008
【図７】
2004208827.tif 000009
【図８】
2004208827.tif 000010
【図９】
2004208827.tif 000011
【図１０】
2004208827.tif 000012
【図１１】
2004208827.tif 000013
【図１２】
2004208827.tif 000014
【図１３】
2004208827.tif 000015
【図１４】
2004208827.tif 000016
【図１５】
2004208827.tif 000017
【図１６】
2004208827.tif 000018
【図１７】
2004208827.tif 000019